(57)【特許請求の範囲】
【請求項１】
下部に設けた戸車によって建具本体が略水平な建具設置面の軌道上を移動して建物の開口部を開閉する建具であって、上面を略水平な建具設置面とする上方支持部と、建物の開口部に取り付けられた下方支持部と、コ字状の係合部とから構成され、建具本体の軌道に沿ってガイド溝を設け、建具本体の下端に同ガイド溝に挿入するガイド板を設け、下方支持部材が戸車を備えた建具本体を移動させるための突状のレールを有する既存の建具設置部材であり、係合部は下方支持部材のレールに嵌合し、同係合部で上方支持部材を支持し、更に前記ガイド溝と連通する排水路を下方支持部に形成したことを特徴とする建具。
【請求項２】
上方支持部と下方支持部との係合部分を別部材で構成し厚み調整によって建具設置面の高さを容易に調整できるようにした請求項１記載の建具。
【請求項３】
ガイド溝とガイド板の間隙又はガイド板が位置しないガイド溝の間隙を閉鎖するシャッター板を建具設置面の下方に設けた請求項１又は２記載の建具。
【発明の詳細な説明】
【０００１】
【発明の属する技術分野】
本発明は、サッシ窓、出入口の戸、風呂場の戸、雨戸など雨水や湯水がかかることのある建具に関する。
【０００２】
【従来の技術】
従来の雨水や湯水がかかる場所に設置される建具においては、雨水や湯水が外部から室内、風呂場から風呂場の外部へ行かないようにするために、建具設置面を高い位置に設けて段差にして水を通さないようにしたり、外部又は風呂場側の建具設置面が徐々に又は段階的に低くなるように傾斜させたりしている。この段差や建具設置面の高低差、並びに建具本体が所定の軌道となるように建具設置面に設けられるレールに足の弱い老人や子供などが足を引っ掛けたりつまづいたりすることがあり危険であった。
【０００３】
【発明が解決しようとする課題】
本発明が解決しようとする課題は、従来のこれらの問題点を解消し、既存の建具設置面に取り付けてフラットな建具設置面にでき、コストを抑制し、取り付け作業が容易で、非常に安全な建具を提供することにある。
【０００４】
【課題を解決するための手段】
かかる課題を解決した本発明の構成は、
１）  下部に設けた戸車によって建具本体が略水平な建具設置面の軌道上を移動して建物の開口部を開閉する建具であって、上面を略水平な建具設置面とする上方支持部と、建物の開口部に取り付けられた下方支持部と、コ字状の係合部とから構成され、建具本体の軌道に沿ってガイド溝を設け、建具本体の下端に同ガイド溝に挿入するガイド板を設け、下方支持部材が戸車を備えた建具本体を移動させるための突状のレールを有する既存の建具設置部材であり、係合部は下方支持部材のレールに嵌合し、同係合部で上方支持部材を支持し、更に前記ガイド溝と連通する排水路を下方支持部に形成したことを特徴とする建具
２）  上方支持部と下方支持部との係合部分を別部材で構成し厚み調整によって建具設置面の高さを容易に調整できるようにした前記１）記載の建具
３）  ガイド溝とガイド板の間隙又はガイド板が位置しないガイド溝の間隙を閉鎖するシャッター板を建具設置面の下方に設けた前記１）又は２）記載の建具
にある。
【０００５】
【作用】
本発明では、建具設置面に設けたガイド溝に建具本体下部に設けたガイド板を挿入することによって、建具本体は所定の軌道上から離れることなく移動する。また、建具本体の下部には戸車を設けているのでスムーズに移動する。さらに、上面を建具設置面とする上方支持部と下方支持部とを係合させて排水路を形成し、雨水や湯水を速やかに排出する。
上方支持部と下方支持部との係合部分を別部材で構成したものは、この係合部分の厚みを変更することによって下方支持部に取り付けられる上方部材の高さ位置を、上方支持部及び下方支持部材の形状を変更せずに調整する。
シャッター板を設けたものは、建具本体のガイド板とガイド溝の間隙、又はガイド板が位置しないガイド溝の間隙をシャッター板で閉鎖することによって、排水路を通ってガイド溝から雨風が室内に入ってくるのを防ぐ。
下方支持部が、既設の建具設置部材であるものは、建具設置部材の突状のレールを排水路の側壁板として用いることができ、下方支持部材を新設することなく用いることができる。
【０００６】
【発明の実施の形態】
建具には、サッシ窓、雨戸、出入口の戸、風呂場の戸などがあり、排水路を利用できるものであればどのような建具でもよい。
既存の建具設置部材を下方支持部として用いることによって既存の建具を容易に本発明の建具に変更できるので、このように変更してもよいし、建具を新設する際に新たに下方支持部を設けるようにしてもよい。また、新設する際に既存の建具設置部材を下方支持部として用いるようにしてもよい。
シャッター板は、ガイド溝とガイド板の空隙の一部を閉鎖するものでも全部を閉鎖するものでも又はガイド板が位置しないガイド溝の空隙を閉鎖するものでもよいが、ガイド溝を通って外部から雨風が室内に入って来ないように閉鎖されるものが好ましい。
下方支持部として既存の建具の枠の下側部分を用いる場合は、様々な形状の既存の建具の枠の下側部分に少ない種類の上方支持部で対応させるのが望ましい。
建具本体の位置しないガイド溝は、別にシャッター板を設けて閉鎖するようにしてもよい。
【０００７】
【実施例】
本発明の実施例について図面を参照して具体的に説明する。
図１〜４に示す実施例は、既存のサッシ枠を下方支持部として用い、上方支持部と下方支持部をコ字状の係合部を介して係合させるようにして上方支持部と下方支持部で排水路を形成した建具の例である。
図１は実施例の建具の一部拡大断面図である。図２は実施例の建具の正面図である。図３は実施例の建具の説明図である。図４は実施例の建具の説明図である。
図中、１は建具として用いたサッシ窓、２は建具本体として用いたサッシ窓本体、２ａは戸車、２ｂはガイド板、３は上方支持部、３ａは建具設置面、３ｂはガイド溝、３ｄは上板、３ｅは支持部、４は係合部、５は既設の建具設置部材である下方支持部、５ａは側壁板、６はシャッター板、７はばね、８はシャッター保持部、９は排水路、１０は防風板である。
実施例では、建具としてサッシ窓１を用いている。まず、既存のサッシ窓のサッシ枠をそのまま残し、サッシ枠の下部を下方支持部５として用いる。既存のサッシ枠の下部の既存のサッシ戸を所定の軌道で移動させるためのレールを側壁板５ａとして用いる。
【０００８】
次に上方支持部３を設ける。上方支持部３は、長細い平面部分を有する上板３ｄの下方に上板３ｄを支持するための支持部３ｅを設けたものである。
次に上板３ｄに建具本体の軌道に沿った長いガイド溝３ｂを２本が並行になるように設ける。上板３ｄの長い前後端部は下方に折曲した形状にし、また、ガイド溝３ｂ部分も一部を下方に折曲させた形状にする。
次に、並行なガイド溝３ｂの間の上板３ｄの下方であって、室内側のガイド溝３ｂ上のサッシ窓本体２が閉じた状態で位置する側にシャッター板６をばね７で付勢して設け、シャッター板６とばね７の下方を支持するシャッター保持部８を設ける。
次に上板３ｄのガイド溝３ｂの間のシャッター保持部８の下面、ガイド溝３ｂと上板３ｄの端部との間の下面を支持し、下方に伸びる部分を設けてかつ、階段状の下面を有する支持部３ｅを設ける。
次にコ字状の係合部４を支持部３ｅの下面２箇所に取り付ける。係合部４はコ字状の両端が下方を向くようにする。
支持部３ｅ及び係合部４は図１，２に示すように約４０ｍｍの幅のものを複数設けるようにする。
最も室外側の上板３ｄの下方に折曲した端部分と、室外側の係合部４との間には、長尺な防風板１０を設ける。
【０００９】
この上方支持部３の支持部３ｅの下面に複数設けた係合部４のコ字状の両端の間に、下方支持部５の側壁板５ａを挿入するようにして上方支持部３と下方支持部５を脱着自在に係合させ、側壁板５ａで仕切るようにして排水路９を形成する。
このようにして、下方支持部５に取り付けた上方支持部３の略水平な上面を建具設置面３ａとする。
次に、サッシ窓本体２は下方２箇所に戸車２ａを設け、下端部分に長く下方に伸びたガイド板２ｂを設ける。
このサッシ窓本体２のガイド板２ｂをガイド溝３ｂに挿入し戸車２ａを建具設置面３ａに載せるようにして、サッシ窓本体２を取り付ける。サッシ窓本体２の上部には図示しないが溝を設け、サッシ窓枠の上部のレールをこの溝に挿入するようにして、サッシ窓本体２は上部も軌道に沿ってスライド自在となるようにする。
本実施例では、従来のサッシ枠の下部を下方支持部として用いている。この従来のサッシ枠下部に隣接する部分の床面は、室内の床面より少し低い高さに設けられていることが多い。よって、本実施例のように建具設置面３ａの高さ位置を室内の床面と同じ高さになるように上方支持部３の高さを調整し、建具設置面３ａに隣接する低い床面部分には、床板１４をはめ込んで建具設置面３ａ及び室内の床面と同じ床面高さにすればよい。室内から建具設置面３ａまで同じ高さ位置となることによって、老人，子供，足の弱い人が足を引っ掛けたり、つまづいたりすることがなくなり非常に安全な建具となる。また、車椅子の移動に対しても妨げとなることがない。
【００１０】
サッシ窓本体２は下部に設けた戸車２ａによって建具設置面３ａ上をスムーズに移動し、またガイド板２ｂがガイド溝３ｂに挿入されているのでサッシ窓本体２は所定の軌道からはずれることなく移動できる。
また、外部からの雨水は、サッシ窓本体２、サッシ窓本体２に設けたガイド板２ｂ及びシャッター板６によって室内側入っていかないので外側のガイド溝３ｂに流れる。ガイド溝３ｂに流れた雨水は、下方に落ち、排水路９を通って外部に排水される。
排水路９に流れ込む雨水の量が非常に多く、側壁板５ａを越えるような場合には、係合部４の側方で支持部３ｅと側壁板５ａの間から排水される。
また、風が強く吹きつける場合に、防風板１０によっておおまかに雨風を防いでいるが、排水路９を通って雨風が室内に流れようとする場合にも、シャッター板６によって、室内側のガイド溝３ｂとガイド板２ｂの間隙及びガイド板２ｂが位置しない状態のガイド溝３ｂを閉鎖しているので雨風が室内に入らないようにしている。
このように本実施例のサッシ窓１は従来のサッシ窓から容易に変更できる。よって非常にコストを抑制して非常に安全なサッシ窓に変更できる。
【００１１】
図５に示すのは、実施例の建具の他の例である。
図５に示す他の例では、建具設置面３ａの２本のガイド溝どちらにもシャッター板６を設けている。このようにして、さらに密閉性を高めるようにして、空調を行いやすくして人が快適にすごせるようにしてもよい。
図６，７に示すのは、実施例の建具の他の例である。
図６，７に示すように既設の建具設置部材を下方支持部１１，１２として用いる場合には、このように既設の建具設置部材には様々な形状があるので、このように係合部４の厚さ、位置で対応するようにしてもよい。
図８，９に示すのは実施例の建具の他の例である。
図８，９に示す実施例の他の例では、上板３ｄの強度を向上させるために上板３ｄの下面部分に長尺な板状物を支持部３ｅの一部として設けている。このようにして上板３ｄの強度を向上させてもよく、また、支持部３ｅの構造はどのような構造にしてもよい。また、図９に示すように既設の建具設置部材の上端高さと建具設置面３ａの高さを合わせるようにしてもよい。
【００１２】
【発明の効果】
本発明によれば、既存の建具設置面に取り付けてフラットな建具設置面にでき、コストを抑制し取り付け作業が容易で、非常に安全にできる。
上方支持部と下方支持部との係合部分を別部材で構成したものは、さらにコストを抑制することができる。
シャッター板を設けたものは、さらに快適にすごすことに役立つ建具にできる。
下方支持部が既設の建具設置部材であるものは、既設の建具から容易に変更することができる。
【図面の簡単な説明】
【図１】実施例の建具の一部拡大断面図である。
【図２】実施例の建具の正面図である。
【図３】実施例の建具の説明図である。
【図４】実施例の建具の説明図である。
【図５】実施例の建具の他の例の説明図である。
【図６】実施例の建具の他の例の一部拡大断面図である。
【図７】実施例の建具の他の例の一部拡大断面図である。
【図８】実施例の建具の他の例の一部拡大断面図である。
【図９】実施例の建具の他の例の一部拡大断面図である。
【符号の説明】
１  サッシ窓
２  サッシ窓本体
２ａ  戸車
２ｂ  ガイド板
３  上方支持部
３ａ  建具設置面
３ｂ  ガイド溝
３ｄ  上板
３ｅ  支持部
４  係合部
５  下方支持部
５ａ  側壁板
６  シャッター板
７  ばね
８  シャッター保持部
９  排水路
１０  防風板
１１  下方支持部
１２  下方支持部
１４  床板
【図１】
0004034030.tif 000002
【図２】
0004034030.tif 000003
【図３】
0004034030.tif 000004
【図４】
0004034030.tif 000005
【図５】
0004034030.tif 000006
【図６】
0004034030.tif 000007
【図７】
0004034030.tif 000008
【図８】
0004034030.tif 000009
【図９】
0004034030.tif 000010